(57)【特許請求の範囲】
【請求項１】
被電解水を電解する電解槽と、同電解槽にて生成された電解水を所要の場所へ供給する供給管路と、同供給管路に接続されて前記電解槽から流出する電解水を排出する排出管路を備えた構成を１電解ユニットとし、複数の電解ユニットの前記排出管路を共通の主排出管路に接続してこれら各電解ユニットを一体とした複数電解槽式電解水生成装置であり、前記各排出管路の一端は、前記主排出管路内に互いに偏位して臨んで互いに非対向状態に開口する各接続管路に接続されていることを特徴とする複数電解槽式電解水生成装置。
【請求項２】
請求項１に記載の複数電解槽式電解水生成装置において、前記各接続管路の開口部は下方へ指向して互いに非対向状態に開口していることを特徴とする複数電解槽式電解水生成装置。
【請求項３】
請求項１または２に記載の複数電解槽式電解水生成装置において、前記各接続管路は前記主排水管路内にて上下方向に偏位して位置し、同各接続管路の開口部が上下方向に偏位して互いに非対向状態に開口していることを特徴とする複数電解槽式電解水生成装置。
【請求項４】
請求項１に記載の複数電解槽式電解水生成装置において、前記各接続管路は前記主排出管路内にて水平方向に偏位して位置し、同各接続管路の開口部が水平方向に偏位して互いに非対向状態に開口していることを特徴とする複数電解槽式電解水生成装置。
【発明の詳細な説明】
【０００１】
【産業上の利用分野】
本発明は、電解槽を２台以上有する複数電解槽式電解水生成装置に関する。
【０００２】
【従来の技術】
希薄食塩水等の被電解水を電解して電解水を生成する装置の一形式として、実願平５−５０７０４号公報に示されているように、被電解水を電解する電解槽と、同電解槽にて生成された電解水を所要の場所へ供給する供給管路を備えた構成を１電解ユニットとする複数電解槽式電解水生成装置がある。当該形式の電解水生成装置においては、運転の開始初期の運転状態が安定するまでの間、電解槽で生成される電解水の特性は一定とはならない。
【０００３】
また、当該形式の電解水生成装置において、運転中に電解槽内では被電解水中に存在する硬質成分等に起因してスケールが発生して、電解水を汚損するとともに、各電解電極に付着して電解効率を低下させるが、これに対処するため、電解運転中に一時的にまたは所定時間の間各電極の正負の極性を切り替えて運転し、電解槽内および各電極に付着するスケールを除去する手段が採られる場合がある。この場合にも、各電極の極性の切り替え直後においては、電解槽で生成される電解水の特性は一定とはならず、またスケールが電解水中に混在していることがある。
【０００４】
このため、当該形式の電解水生成装置においては、各電解ユニットを構成する各供給管路に排出管路を連結して、電解槽で生成される電解水が一定の特性値になるまでの間電解水を排出管路を通して排出させる手段が採られる。この場合、各電解ユニットの排出管路を１本の主排出管路にそれぞれ接続して、主排出管路から電解水をまとめて排出させることが有利である。
【０００５】
【発明が解決しようとする課題】
ところで、上記のごとく構成した複数電解槽式電解水生成装置、すなわち、被電解水を電解する電解槽と、同電解槽にて生成された電解水を所要の場所へ供給する供給管路と、同供給管路に接続されて前記電解槽から流出する電解水を排出する排出管路を備えた構成を１電解ユニットとし、複数の電解ユニットの前記排出管路を共通の主排出管路に接続してこれら各電解ユニットを一体とした複数電解槽式電解水生成装置においては、下記のごとき問題が起こり得る。
【０００６】
すなわち、当該複数電解槽式電解水生成装置においては、主排出管路に排出される各排出管路からの排水状態が他の排出管路からの排水の排出状態に影響を及ぼし、また排水中に混在するスケールが非排出状態にある他の排出管路の開口部に付着して、同排出管路からのその後の排水の排出状態に影響を及ぼすおそれがある。このような影響が生じると、各電解ユニットを互いに独立して運転制御する場合に影響を及ぼすおそれがある。このため、当該電解水生成装置においては、このような排水の排出状態が互いに影響を及ぼさないようにする必要がある。従って、本発明の目的は、このような排水の排出状態が各電解ユニットの制御に及ぼす影響を解消して、各電解ユニットをきめ細かく制御し得るようにすることにある。
【０００７】
【課題を解決するための手段】
本発明は、被電解水を電解する電解槽と、同電解槽にて生成された電解水を所要の場所へ供給する供給管路と、同供給管路に接続されて前記電解槽から流出する電解水を排出する排出管路を備えた構成を１電解ユニットとし、複数の電解ユニットの前記排出管路を共通の主排出管路に接続してこれら各電解ユニットを一体とした複数電解槽式電解水生成装置であり、前記各排出管路の一端は、前記主排出管路内に互いに偏位して臨んで互いに非対向状態に開口する各接続管路に接続されていることを特徴とするものである。
【０００８】
本発明に係る複数電解槽式電解水生成装置においては、前記各接続管路の開口部を互いに偏位して指向させる手段として、前記各接続管路の開口部を下方へ指向して互いに非対向状態に開口させること、前記各接続管路を前記主排水管路内にて上下方向に偏位して位置させて、同各接続管路の開口部を上下方向に偏位して互いに非対向状態に開口させること、前記各接続管路を前記主排出管路内にて水平方向に偏位して位置させて、同各接続管路の開口部を水平方向に偏位して互いに非対向状態に開口させること、等の手段を採ることができる。
【０００９】
【発明の作用・効果】
このように構成した電解水生成装置においては、各電解ユニットを構成する各排出管路の開口部を構成する各接続管路の開口部は主排出管路内にて互いに対向していない非対向状態に開口しているため、各排出管路から排出される排水が互いに衝突して干渉し合うことを抑制し得て、排水の流量、流速、スケールの混在量等、排出状態の相違が各排出管路からの排水の排出状態に影響を及ぼすことがほとんどなく、各電解ユニットの互いに独立した運転制御に対する排水の排出状態の影響を解消することができる。
【００１０】
【実施例】
以下本発明の実施例を図面に基づいて説明するに、図１には本発明に係る複数電解槽式電解水生成装置の一例が示されている。当該電解水生成装置は２台の電解ユニット１０，２０を一体化してなるもので、第１電解ユニット１０は電解槽１１、希薄食塩水の供給管路１２、電解水の供給管路１３ａ，１３ｂおよび１４ａ，１４ｂ、排出管路１５ａ，１５ｂを備え、また第２電解ユニット２０は同様に電解槽２１、希薄食塩水の供給管路２２、電解水の供給管路２３ａ，２３ｂおよび２４ａ，２４ｂ、排出管路２５ａ，２５ｂを備えている。
【００１１】
第１電解ユニット１０においては、第１供給管路１３ａ，１３ｂと第２供給管路１４ａ，１４ｂ間に四方切替バルブ１６が介装されているとともに、各排出管路１５ａ，１５ｂの途中に開閉バルブ１７ａ，１７ｂが介装されており、同様に第２電解ユニット２０においては、第１供給管路２３ａ，２３ｂと第２供給管路２４ａ，２４ｂ間に四方切替バルブ２６が介装されているとともに、各排出管路２５ａ，２５ｂの途中に開閉バルブ２７ａ，２７ｂが介装されている。
【００１２】
第１，第２電解ユニット１０，２０は、第２供給管路１４ａ，２４ａ、および１４ｂ，２４ｂが互いに接続されていて、各供給管路１４ａ，２４ａは第１貯溜槽３１に臨み、かつ各供給管路１４ｂ，２４ｂは第２貯溜槽３２に臨んでいる。また、これら両電解ユニット１０，２０の４本の排出管路１５ａ，１５ｂ，２５ａ，２５ｂは１本の主排出管路３３に接続されている。これにより、両電解ユニット１０，２０は互いに一体化され、各貯溜槽３１，３２および主排出管路３３を共通としている。
【００１３】
当該電解水生成装置は、各電解槽１１，２１の隔膜にて区画された電極室に配設された各電極１１ａ，１１ｂ、２１ａ，２１ｂを備えているとともに、各第２供給管路１４ａ，１４ｂ、２４ａ，２４ｂに介装されたｐＨセンサ１８ａ，１８ｂ、２８ａ，２８ｂを備え、かつ制御装置３４を備えている。制御装置３４は各電解槽１１，２１の各電極１１ａ，１１ｂ、２１ａ，２１ｂの正負の極性を所定時間の間切替えるべく制御するとともに、これに伴い各切替バルブ１６，２６を切替え動作して第１供給管路１３ａ，１３ｂ、２３ａ，２３ｂの第２供給管路１４ａ，１４ｂ、２４ａ，２４ｂに対する接続を切換えるべく制御する。また、制御装置３４は、装置の運転初期、または各電極の極性の切替え運転初期に各開閉バルブ１７ａ，１７ｂ、２７ａ，２７ｂを開放動作すべく制御する。各開閉バルブ１７ａ，１７ｂ、２７ａ，２７ｂの開閉制御は各ｐＨセンサ１８ａ，１８ｂ、２８ａ，２８ｂからの検出信号に基づいてなされる。
【００１４】
しかして、当該電解水生成装置においては各排出管路１５ａ，１５ｂ、２５ａ，２５ｂは主排出管路３３に接続されており、それらの一端は図２に示すように、主排出管路３３に設けられた接続管部３５ａ，３５ｂ，３６ａ，３６ｂに接続されている。各接続管部３５ａ，３５ｂ，３６ａ，３６ｂは主排出管路３３内に臨んで略Ｌ字状を呈している。主排出管路３３は上下方向に延びているもので、各排出管路１５ａ，２５ａは同一高さに配設された各接続管部３５ａ，３６ａに接続され、同様に各排出管路１５ｂ，２５ｂも同一高さに配設された各接続管部３５ｂ，３６ｂに接続されていて、それらの開口部は下方へ指向されている。統一高さに位置している各接続管部３５ａ，３６ａ、および３５ｂ，３６ｂは主排出管路３３内にて互いに固定されている。
【００１５】
かかる構成の電解水生成装置においては、各電解ユニット１０，２０を構成する各排出管路１５ａ，２５ａ、１５ｂ，２５ｂの開口部は、主排出管路３３内にて下方へ指向されていて互いに対向していないため、各排出管路１５ａ，２５ａ、１５ｂ，２５ｂから排出される排水の流量、流速、スケールの混在量等、排出状態の相違が各排出管路１５ａ，２５ａ、１５ｂ，２５ｂからの排水の排出状態に影響を及ぼすことがほとんどない。このため、制御装置３４による各電解ユニット１０，２０の互いに独立した運転制御に対して、排水の排出状態が影響を及ぼすようなことはない。
【００１６】
なお、当該電解水生成装置においては、各排出管路１５ａ，２５ａ、１５ｂ，２５ｂの一端を略Ｌ字状に形成した上下２段に並列配置した各接続管部３５ａ，３５ｂ，３６ａ，３６ｂに接続した例について示したが、各接続管部３５ａ，３５ｂ，３６ａ，３６ｂを図４に示すように、上下に交差状態に２段に配設してもよく、また全て接続管部を水平状に形成して、これらを上下方向に偏位させて水平方向に指向させてもよく、さらには図５に示すように、各接続管部３７ａ，３７ｂを同一高さに配置して水平方向に偏位して指向させてもよい。
【図面の簡単な説明】
【図１】本発明の一実施例に係る複数電解槽式電解水生成装置の概略構成図である。
【図２】同電解水生成装置を構成する各排出管路と主排出管路との接続状態を示す縦断面図である。
【図３】同電解水生成装置を構成する各排出管路と主排出管路との接続状態を示す横断平面図である。
【図４】各排出管路と主排出管路との接続状態の他の一例を示す横断平面図である。
【図５】各排出管路と主排出管路との接続状態の他の一例を示す横断平面図である。
【符号の説明】
１０，２０…電解水生成装置、１１，２１…電解槽、１２，２２…希薄食塩水の供給管路、１３ａ，１３ｂ，２３ａ，２３ｂ…電解水の第１供給管路、１４ａ，１４ｂ，２４ａ，２４ｂ…電解水の第２供給管路、１５ａ，１５ｂ，２５ａ，２５ｂ…排出管路、１６，２６…四方切替バルブ、１７ａ，１７ｂ，２７ａ，２７ｂ…ｐＨセンサ、３１，３２…貯溜槽、３３…主排出管路、３４…制御装置、３５ａ，３６ａ，３５ｂ，３６ｂ，３７ａ，３７ｂ…接続管部。
【図１】
0003601010.tif 000002
【図２】
0003601010.tif 000003
【図３】
0003601010.tif 000004
【図４】
0003601010.tif 000005
【図５】
0003601010.tif 000006